(57)【要約】【課題】本発明は、アンテナの位置を正確に調整することができるアンテナ用ブラケットを提供することを目的とする。【解決手段】本発明に係るアンテナ用ブラケットは、台座と、アンテナ支持棒と、一対の支柱と、案内柱と、アンテナと、を備える。一対の支柱及び案内柱は、それぞれ台座に固定され、アンテナ支持棒は、一対の支柱に滑動及び回転可能に装着され、案内柱はアンテナ支持棒を案内して移動させる。【選択図】図２
2013247684.tif 000002
【特許請求の範囲】
【請求項１】
台座及びアンテナ支持棒を備えるアンテナ用ブラケットであって、
一対の支柱と、案内柱と、アンテナと、をさらに備え、前記一対の支柱及び前記案内柱は、それぞれ前記台座に固定され、前記アンテナ支持棒は、前記一対の支柱に滑動及び回転可能に装着され、前記案内柱は、前記アンテナ支持棒を案内して移動させることを特徴とするアンテナ用ブラケット。
【請求項２】
前記一対の支柱の少なくとも一方には、コンベヤーベルト、モーター及び滑動部材が設置され、前記滑動部材は、当該滑動部材が設けられた対応する前記支柱に滑動可能に設置され、且つ前記コンベヤーベルトに固定接続され、前記コンベヤーベルトは、前記滑動部材を連動して当該滑動部材が設けられた対応する前記支柱に沿ってスライドさせることを特徴とする請求項１に記載のアンテナ用ブラケット。
【請求項３】
前記一対の支柱双方には、コンベヤーベルト、モーター及び滑動部材が設置され、前記一対の支柱それぞれに設置された前記モーターの回転速度は、互いに異なることを特徴とする請求項２に記載のアンテナ用ブラケット。
【請求項４】
前記滑動部材は、対向して設置された２つの第一側板及び２つの第二側板を備え、前記コンベヤーベルトの一側は、前記滑動部材の一方の第一側板に固定され、他側は、他方の第一側板に互いに間隔をあけて設置されることを特徴とする請求項２または３に記載のアンテナ用ブラケット。
【請求項５】
前記滑動部材の第二側板には、バンプが設置され、前記バンプには、軸孔が設けられ、前記アンテナ支持棒には、２つの接続部材が設置され、各接続部材には、回転軸が設置され、前記回転軸は、前記滑動部材の軸孔に回転可能に接続されることを特徴とする請求項４に記載のアンテナ用ブラケット。
【請求項６】
前記案内柱は、前記一対の支柱間に設置され、前記案内柱には、スライド溝が設けられ、前記アンテナ支持棒には、固定部材が固定され、前記固定部材には、案内部材が設置され、前記案内部材は、前記スライド溝に滑動可能に装着されることを特徴とする請求項１〜５のいずれか１項に記載のアンテナ用ブラケット。
【発明の詳細な説明】
【技術分野】
【０００１】
本発明は、アンテナ用ブラケットに関するものである。
【背景技術】
【０００２】
電磁妨害（ＥＭＩ）高周波テストを行う場合、検出対象の高周波電磁信号を測定する必要がある。この測定過程において、アンテナの高さ及び位置を同時に調整して、検出対象に対してさまざまな位置で測定する必要がある。しかし、アンテナと検出対象との水平距離は正確でなければならないが、アンテナの高さを調整する際に、アンテナの振れによってアンテナと検出対象との水平距離が変化するため、測定データに大きな誤差が生じ易い。
【発明の概要】
【発明が解決しようとする課題】
【０００３】
本発明の目的は、前記課題を解決し、アンテナの位置を正確に調整することができるアンテナ用ブラケットを提供することである。
【課題を解決するための手段】
【０００４】
本発明に係るアンテナ用ブラケットは、台座と、アンテナ支持棒と、一対の支柱と、案内柱と、アンテナと、を備える。一対の支柱及び案内柱は、それぞれ台座に固定され、アンテナ支持棒は、一対の支柱に滑動及び回転可能に装着され、案内柱はアンテナ支持棒を案内して移動させる。
【発明の効果】
【０００５】
本発明のアンテナ用ブラケットは、第一支柱及び第二支柱に沿って昇降し、案内柱はアンテナ支持棒を案内することによってアンテナと検出対象との測定距離を不変的に維持することができる。これにより、アンテナ用ブラケットに設置されたアンテナの位置を正確に調整することができる。
【図面の簡単な説明】
【０００６】
【図１】本発明の実施形態に係るアンテナ用ブラケットを示す図である。
【図２】図１に示すアンテナ用ブラケットのカバーが取り外された際の状態を示す図である。
【図３】図１に示すアンテナ用ブラケットのアンテナ支持棒、コンベヤーベルト及び滑動部材を示す図である。
【図４】図３に示すアンテナ用ブラケットのコンベヤーベルト及び滑動部材を他角度から見た状態を示す図である。
【図５】図１に示すアンテナ用ブラケットのアンテナ支持棒及び案内柱の組立斜視図である。
【発明を実施するための形態】
【０００７】
以下、図面を参照して、本発明の実施形態について説明する。
【０００８】
図１及び図２を参照すると、本発明の実施形態に係るアンテナ用ブラケット１００は、台座１０と、第一支柱２０と、第二支柱３０と、案内柱４０と、アンテナ５０と、アンテナ支持棒６０と、を備える。第一支柱２０、第二支柱３０及び案内柱４０は、それぞれ台座１０に固定される。アンテナ５０は、アンテナ支持棒６０に固定される。アンテナ支持棒６０は、第一支柱２０及び第二支柱３０に滑動及び回転可能に装着され、アンテナ５０を第一支柱２０及び第二支柱３０に沿って昇降させる。アンテナ支持棒６０は、案内柱４０に固定される。案内柱４０は、アンテナ支持棒６０を案内して移動させる際、アンテナ５０と検出対象との水平距離の不変性を維持する。
【０００９】
台座１０は、底座１２と、底座１２に着脱自在なカバー１４と、底座１２の４つの隅にそれぞれ位置する４つの支持脚１６と、を備える。底座１２は、収容空間１２０を有する。第一支柱２０、第二支柱３０及び案内柱４０の一端は、底座１２における収容空間１２０の底部に固定される。カバー１４は、収容空間１２０を覆う。４つの支持脚１６は、底座１２を支持して支持面に対して滑動可能に設置され、且つ台座１０の水平状態を保つ。
【００１０】
第一支柱２０には、コンベヤーベルト２２、第一モーター２４及び滑動部材２６が設置されている。滑動部材２６は、第一支柱２０に滑動可能に設置され、且つコンベヤーベルト２２に固定接続される。第一モーター２４は、底座１２の収容空間１２０内に装着され、且つコンベヤーベルト２２を駆動して動かし、滑動部材２６を連動して第一支柱２０に沿って昇降させる。本実施形態において、第一支柱２０の上端部及び下端部には、それぞれ駆動輪及び従動輪が設けられており、コンベヤーベルト２２は、第一支柱２０の上端部から下端部まで位置し、第一支柱２０の駆動輪及び従動輪を取り囲む。すなわち、コンベヤーベルト２２は、第一支柱２０を挟むように設けられている。第一モーター２４は、第一支柱２０の駆動輪に接続され、且つ駆動輪を駆動して回転させる。コンベヤーベルト２２は、前記駆動輪によって駆動されて動き、滑動部材２６を連動して第一支柱２０に沿ってスライドさせる。これにより、アンテナ支持棒６０に設置されたアンテナ５０の高さを調整する。
【００１１】
図３及び図４を参照すると、滑動部材２６は、対向して設置された２つの第一側板２６２及び２つの第二側板２６３を備える。各第一側板２６２及び各第二側板２６３におけるコンベヤーベルト２２が動く方向の両端には、ローラー２６４が設置されている。ローラー２６４は、滑動部材２６を第一支柱２０に沿って容易にスライドさせる。本実施形態において、コンベヤーベルト２２の一側は、滑動部材２６の一方の第一側板２６２に固定され、他側は、他方の第一側板２６２に互いに間隔をあけて設置される。
【００１２】
滑動部材２６の第二側板２６３には、バンプ２６６が設置されている。バンプ２６６には、軸孔２６６２が設けられている。また、アンテナ支持棒６０には、２つの接続部材６２が設置されている。各接続部材６２には、回転軸６２２が設置され、且つ貫通孔６２４が設けられている。接続部材６２は、この貫通孔６２４によってアンテナ支持棒６０に滑動可能に接続される。一方の接続部材６２の回転軸６２２は、滑動部材２６の軸孔２６６２に回転可能に接続される。
【００１３】
第二支柱３０の構造は、第一支柱２０の構造に類似する。第二支柱３０には、コンベヤーベルト３２、第二モーター３４及び滑動部材３６が設置されている。滑動部材３６は、アンテナ支持棒６０の他方の接続部材６２に回転可能に接続される。第二支柱３０と第一支柱２０との違いは、第二モーター３４の回転速度と第一モーター２４の回転速度とが異なることである。つまり、コンベヤーベルト２２、３２は、異なる速度で動くため、滑動部材２６、３６を異なる速度で昇降させ、アンテナ支持棒６０の２つの接続部材６２を異なる速度で昇降させる。これにより、アンテナ支持棒６０の傾斜度を制御する。
【００１４】
図５を参照すると、案内柱４０は、第一支柱２０と第二支柱３０との間に設置される。案内柱４０には、その長手方向に沿ってスライド溝４２が設けられている。アンテナ支持棒６０には、固定部材６６が固定設置されている。固定部材６６には、案内部材６６２が設置されている。案内部材６６２は、スライド溝４２に滑動可能に装着されている。本実施形態において、案内柱４０の一端は、第一支柱２０の底端に隣接して設置され、他端は第二支柱３０の頂端に隣接して設置される。このため、案内柱４０は、下端から上端に向けて垂直方向ではなく、傾斜して設置されている。すなわち、スライド溝４２は、ラジアンを有する。該ラジアンは、アンテナ５０と検出対象との水平距離及び昇降しようとする高さに基づいて計算することによって得られ、アンテナ５０の参考点における地面での投影位置を不変にすることができる。
【００１５】
アンテナ支持棒６０には、シリンダー７０が設置されており、このシリンダー７０は、アンテナ支持棒６０を回転させることができる。
【００１６】
装着する時、第一支柱２０、第二支柱３０及び案内柱４０の一端は、台座１０に固定される。第一モーター２４及び第二モーター３４は、収容空間１２０内に設置され、且つそれぞれ第一支柱２０及び第二支柱３０に装着され、コンベヤーベルト２２、３２を駆動する。アンテナ５０は、アンテナ支持棒６０の一端に固定される。接続部材６２は、回転軸６２２が軸孔２６６２に回転可能に接続されることで、滑動部材２６及び３６に装着される。案内部材６６２は、スライド溝４２に滑動可能に装着される。
【００１７】
アンテナ用ブラケット１００を使用する時、第一モーター２４と第二モーターとの回転速度の差によって、アンテナ５０の傾斜角度を制御する。案内柱４０は、ラジアンを有する形状に設計されているため、昇降している過程において、アンテナ５０を曲線に沿って移動でき、アンテナ５０と検出対象との測定距離を不変的に、すなわち一定に維持することができる。これにより、アンテナ用ブラケット１００に設置されたアンテナ５０の位置を正確に調整することができる。
【００１８】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００１９】
１０  台座
１２  底座
１４  カバー
１６  支持脚
２０  第一支柱
２２、３２  コンベヤーベルト
２４  第一モーター
２６、３６  滑動部材
３０  第二支柱
３４  第二モーター
４０  案内柱
４２  スライド溝
５０  アンテナ
６０  アンテナ支持棒
６２  接続部材
６６  固定部材
７０  シリンダー
１００  アンテナ用ブラケット
１２０  収容空間
２６２  第一側板
２６３  第二側板
２６４  ローラー
２６６  バンプ
６２２  回転軸
６２４  貫通孔
６６２  案内部材
２６６２  軸孔
【図１】
2013247684.tif 000003
【図２】
2013247684.tif 000004
【図３】
2013247684.tif 000005
【図４】
2013247684.tif 000006
【図５】
2013247684.tif 000007